【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
医療システムであって、
１つ又は複数の医療体エリアネットワークシステム、言い換えるとＭＢＡＮシステムを有し、各ＭＢＡＮシステムが、
患者データを取得し、短距離無線通信を介して前記患者データをハブデバイスと通信する１つ又は複数のＭＢＡＮデバイスであって、前記短距離無線通信を介した前記患者データの通信が、所定のスペクトル内で行われ、前記ハブデバイスが、前記１つ又は複数のＭＢＡＮデバイスから通信される患者データを受信し、より長距離の通信を介して中央監視ステーションと通信する、１つ又は複数のＭＢＡＮデバイスと、
前記１つ又は複数のＭＢＡＮデバイスが前記所定のスペクトルの少なくとも部分を利用することを禁ずるチャネルレギュレータとを含む、医療システム。
【請求項２】
前記所定のスペクトルの部分が、プライマリユーザにより使用中であり、利用できず、前記チャネルレギュレータは、前記１つ又は複数のＭＢＡＮデバイスにアクセス可能な前記所定のスペクトルの１つ又は複数チャネルを用いてチャネライゼーションスキームを規定する、請求項１に記載の医療システム。
【請求項３】
前記チャネルレギュレータが、前記受信されるスペクトル認証及び前記所定のスペクトルの監視された使用に基づき、前記１つ又は複数のＭＢＡＮデバイスに関する前記所定のスペクトルのチャネル使用規則を生成する、請求項１又は２に記載の医療システム。
【請求項４】
前記チャネル使用規則が、前記所定のスペクトルに含まれる１つ又は複数のチャネル上で前記１つ又は複数ＭＢＡＮデバイスが送信することをディスエーブルにする、請求項２に記載の医療システム。
【請求項５】
前記チャネライゼーションスキームが、前記プライマリユーザにより使用されていない前記スペクトルの１つ又は複数の部分におけるチャネル数を最大化する、請求項１乃至４のいずれか一項に記載の医療システム。
【請求項６】
前記チャネライゼーションスキームが、ヘルスケア施設内でのみアクセスされることができる前記所定のスペクトルに含まれる１つ又は複数の重複しないチャネルと、どこでもアクセスされることができる前記所定のスペクトルに含まれる１つ又は複数の重複するチャネルとを規定する、請求項１乃至５のいずれか一項に記載の医療システム。
【請求項７】
前記チャネルレギュレータが、前記所定のスペクトルの１つ又は複数の利用可能な部分の使用を最適化するため、前記所定のスペクトルにおける１つ又は複数の重複するチャネルを用いてチャネライゼーションスキームを規定する、請求項１乃至６のいずれか一項に記載の医療システム。
【請求項８】
１つ又は複数の医療体エリアネットワークデバイス、言い換えるとＭＢＡＮデバイスにより患者データを集めるステップと、
１つ又は複数のＭＢＡＮデバイスが所定のスペクトルの少なくとも部分を利用することを禁ずるステップと、
短距離無線通信を介してＭＢＡＮシステムを通り前記１つ又は複数のＭＢＡＮデバイスからハブデバイスへと前記収集された患者データを通信するステップであって、前記短距離無線通信を介した通信が、所定のスペクトル内で行われる、ステップと、
より長距離の無線通信を介して前記ハブデバイスから中央監視ステーションへと前記収集された患者データを通信するステップとを有する、方法。
【請求項９】
前記所定のスペクトルの監視された使用に基づき、前記１つ又は複数のＭＢＡＮデバイスに関する前記所定のスペクトルのチャネル使用規則を生成するステップを更に含む、請求項８に記載の方法。
【請求項１０】
前記チャネル使用規則に基づき、前記所定のスペクトルに含まれる１つ又は複数チャネル上で前記１つ又は複数のＭＢＡＮデバイスが送信することをディスエーブルにするステップを更に含む、請求項９に記載の方法。
【請求項１１】
チャネライゼーションスキームに基づき前記１つ又は複数のＭＢＡＮデバイスにアクセス可能な前記所定のスペクトルの１つ又は複数のチャネルを規定するステップを更に含む、請求項９又は１０に記載の方法。
【請求項１２】
前記チャネライゼーションスキームが、ヘルスケア施設内でのみアクセスされることができる前記所定のスペクトルに含まれる１つ又は複数の重複しないチャネルと、どこでもアクセスされることができる前記所定のスペクトルに含まれる１つ又は複数の重複するチャネルとを規定する、請求項８乃至１０のいずれか一項に記載の方法。
【請求項１３】
前記チャネライゼーションスキームが、前記所定のスペクトルにおける１つ又は複数の重複するチャネルを規定し、ＭＡＣパラメータが、各規定されたチャネルに対するアクセスを動的にイネーブル又はディスエーブルにする、請求項８乃至１０のいずれか一項に記載の方法。
【請求項１４】
１つ又は複数の医療体エリアネットワークデバイス、言い換えるとＭＢＡＮデバイスにより患者データを集めるステップと、
前記１つ又は複数のＭＢＡＮデバイスが、所定のスペクトルの少なくとも部分を利用するのを禁ずるステップであって、前記所定のスペクトルの部分が、プライマリユーザにより使用中であり、利用できないものである、ステップと、
前記１つ又は複数のＭＢＡＮデバイスにアクセス可能な前記所定のスペクトルの１つ又は複数チャネルを用いてチャネライゼーションスキームを規定するステップであって、前記チャネライゼーションスキームが、前記プライマリユーザにより使用されていない前記スペクトルの１つ又は複数の部分におけるチャネル数を最大化する、ステップと、
短距離無線通信を介してＭＢＡＮシステムを通り前記１つ又は複数のＭＢＡＮデバイスからハブデバイスへと前記収集された患者データを通信するステップであって、前記短距離無線通信を介した通信が、所定のスペクトル内で行われる、ステップとを有する、方法。
【請求項１５】
前記所定のスペクトルの１つ又は複数の利用可能な部分の使用を最適化するため、前記所定のスペクトルにおいて１つ又は複数の重複するチャネルを用いて他の医療施設に関するカスタム・チャネライゼーション・スキームを規定するステップを更に含む、請求項１４に記載の方法。
【請求項１６】
１つ又は複数の医療体エリアネットワークデバイス、言い換えるとＭＢＡＮデバイスにより患者データを集める手段と、
１つ又は複数のＭＢＡＮデバイスが所定のスペクトルの少なくとも部分を利用することを禁ずる手段と、
短距離無線通信を介してＭＢＡＮシステムを通り前記１つ又は複数のＭＢＡＮデバイスからハブデバイスへと前記収集された患者データを通信する手段であって、前記短距離無線通信を介した通信が、所定のスペクトル内で行われる、手段と、
より長距離の無線通信を介して前記ハブデバイスから中央監視ステーションへと前記収集された患者データを通信する手段とを有する、装置。
【請求項１７】
１つ又は複数の医療体エリアネットワークデバイス、言い換えるとＭＢＡＮデバイスにより患者データを集める手段と、
前記１つ又は複数のＭＢＡＮデバイスが、所定のスペクトルの少なくとも部分を利用するのを禁ずる手段であって、前記所定のスペクトルの部分が、プライマリユーザにより使用中であり、利用できないものである、手段と、
前記１つ又は複数のＭＢＡＮデバイスにアクセス可能な前記所定のスペクトルの１つ又は複数チャネルを用いてチャネライゼーションスキームを規定する手段であって、前記チャネライゼーションスキームが、前記プライマリユーザにより使用されていない前記スペクトルの１つ又は複数の部分におけるチャネル数を最大化する、手段と、
短距離無線通信を介してＭＢＡＮシステムを通り前記１つ又は複数のＭＢＡＮデバイスからハブデバイスへと前記収集された患者データを通信する手段であって、前記短距離無線通信を介した通信が、所定のスペクトル内で行われる、手段とを有する、装置。